(57)【要約】【課題】  各種電気機器の金属露出部に離脱しないように装着可能で、かつ該金属露出部との電気的接続を行う。【解決手段】  測定用クリップ１０は、制御ユニット２４に設けられたネジ端子台１６のマイナスネジ２８の工具差込口２８ａに装着して、該工具差込口２８ａとの電気的接続を可能とするもので、基端側１２ａから延設された先端側１２ｂを自由端として、所定間隔で対向配置された導電性の一対の弾性接触片１２，１２と、該一対の弾性接触片１２，１２の先端側１２ｂにおける対向面と反対面側に形成された係合突起１３，１３とを備えている。【選択図】図１
2006214878.tif 000002
【特許請求の範囲】
【請求項１】
各種電気機器の金属露出部に一時的に装着して該金属露出部との電気的接続を可能とする測定用クリップにおいて、
基端側から延設された先端側を自由端として、所定間隔で対向配置された導電性の一対の弾性接触片と、
該一対の弾性接触片の前記先端側における前記対向面と反対面側に形成された係合突起と、を備えたことを特徴とする測定用クリップ。
【請求項２】
長手方向の中間の支点軸を中心として回動可能に対向配置され、基端側を常時開方向に付勢する付勢力に抗して該基端側に閉方向の操作力を付与すると、先端側に開方向の作用力が付与される導電性の一対の接触片を備え、該一対の接触片を各種電気機器の金属露出部に一時的に装着して該金属露出部との電気的接続を可能とする測定用クリップにおいて、
前記一対の接触片は、前記操作力が付与されない状態で前記先端側がクロスするように延設された延長部と、
該延長部の前記クロス位置を越えた前記先端側における対向面と反対面側に形成された係合突起と、を備えたことを特徴とする測定用クリップ。
【請求項３】
前記係合突起は、前記先端側から前記基端側に向けて傾斜する方向に突出していることを特徴とする請求項１又は請求項２に記載の測定用クリップ。
【発明の詳細な説明】
【技術分野】
【０００１】
本発明は、測定用クリップ、特に各種電気機器の金属露出部に一時的に装着されて該金属露出部との電気的接続を行う測定用クリップに関する。
【背景技術】
【０００２】
各種電気機器又は電気設備等に使用されているネジ端子台に、一時的な電気的接続を行うために使用する電気的接続用の測定クリップは既に公知であり、このような測定クリップとしては、鰐口クリップが一般的に使用されている。
【０００３】
しかし、近年、ネジ端子台の側面を遮蔽し、ネジ端子台の上部のみを露出させるように設計されたものが増えてきており、このような構造のネジ端子台では、前述した鰐口クリップでは、ネジ端子台にて線材を固定しているネジの頭部を挟み込むことができず、従来のように簡単には電気的接続を行うことが困難となってきた。
【０００４】
このため、ネジ端子台の側面が遮蔽された状態においても、ネジ端子台の上部に接触させることを可能とするため、例えば、ネジ端子台への接触部付近の形状を棒のように細長くし、ネジ端子台に固定する従来技術として、中空筒体内にコイルスプリングにより先端方向に所定の付勢圧が付与された接触棒を収容し、この接触棒にリード線を接続すると共に、この接触棒をネジ端子台側のネジに押し付け、中空筒体を磁石でネジ端子台側に吸着させることで、接触棒とネジ端子台側のネジとを電気的に接続する技術が開示されている（特許文献１参照）。
【０００５】
また、他の従来技術として、電気機器等の端子カバーに挿着して使用される挿着端子が公知であり、この挿着端子によれば、ネジ端子台側のネジに押し付けられる接触子と、この接触子を、コイルスプリングにより先端方向に所定の付勢圧を付与した状態で収容する外部ケースと、この外部ケースの外周に形成されネジ端子台側に形成された挿入孔に螺入するネジ部とを有し、前記接触子をネジ端子台側のネジに押し付けて接触させた状態で、前記ネジ部をネジ端子台側の挿入孔に螺着することで安定して固定できるようにした点が開示されている（特許文献２参照）。
【特許文献１】特開２００１−３４３３９８号公報（第２頁、図１）
【特許文献２】特許第３１０２６８４号公報（第４頁、図８）
【発明の開示】
【発明が解決しようとする課題】
【０００６】
しかしながら、特許文献１に開示された技術では、ネジ端子台を固定する方法として、磁石の吸着力を利用しているため、磁界による電気信号への影響、また、ネジが磁気を帯びる可能性があり、これにより、鉄粉などがネジに付着し、また錆による電気回路のショートを誘発する可能性があった。
【０００７】
また、特許文献２に開示された技術では、ネジ端子台に固定させる方法として、コイルスプリングを用いており、磁石は用いていないため磁気による影響はないが、ネジ端子台側に形成された挿入孔にネジ部を螺入する形式のものであるため、ネジ端子台側の構造が限定されることとなり、対応の自由度が狭くなる。更に、特許文献１及び特許文献２の技術では、接触子をネジ端子台方向に付勢すべくコイルスプリングを用いているため、構造が複雑となり部品点数が多くなるため、製造コストが増大するという課題があった。
【０００８】
このため、磁気の影響を受けることなく、ネジ端子台の側面を遮蔽し、その上部のみを露出させるように設計された各種電気機器又は電気設備等にも使用可能な測定用クリップが望まれていた。
【０００９】
本発明は、斯かる課題を解決するためになされたもので、その目的とするところは、各
種電気機器の金属露出部に離脱しないように装着可能で、かつ該金属露出部との電気的接
続を行うことのできる側定用クリップを提供することにある。
【課題を解決するための手段】
【００１０】
前記目的を達成するため、請求項１に係る発明は、基端側から延設された先端側を自由端として対向配置された導電性の一対の弾性接触片と、一対の弾性接触片の先端側にて対向面と反対面側に形成された係合突起とを備えていて、前記一対の弾性接触片を軽く把持したまま専用工具の工具差込口に挿入すれば、手を放しても、前記係合突起が工具差込口に係合し、工具差込口からの離脱が防止される。
【００１１】
請求項２に係る発明は、長手方向の中間の支点軸を中心として、基端側に閉方向の操作力を付与すると、先端側に開方向の作用力が付与される導電性の一対の接触片を備え、該一対の接触片は、基端側に操作力が付与されない状態で先端側がクロスするように延設された延長部と、該延長部の前記先端側における対向面と反対面側に形成された係合突起とを備えていて、一対の接触片の基端側に軽く操作力を付与したまま、該先端側を工具差込口に挿入すれば、手を放しても、前記係合突起が工具差込口に係合し、工具差込口からの離脱が防止される。
【００１２】
また、この一対の接触片を、例えば金属露出部としてのプラスネジの頭部に装着するには、基端側に大きな操作力を付与して先端側を開放させ、この開放した先端側にプラスネジの頭部を挟み込む。この場合も、前記係合突起がプラスネジの頭部に係合し、該頭部からの離脱が防止される。
【００１３】
請求項３に係る発明は、前記係合突起は、先端側から基端側に向けて傾斜する方向に突出しているため、該係合突起が金属露出部に係合して該金属露出部からの離脱が防止されるという利点を有する。
【発明の効果】
【００１４】
請求項１に係る発明によれば、各種電気機器の金属露出部に工具差込口があれば、この工具差込口に一対の弾性接触片を挿入することができ、しかも該一対の弾性接触片の先端側に形成された係合突起により、工具差込口からの離脱を防止することができる。
【００１５】
請求項２に係る発明によれば、各種電気機器の金属露出部に工具差込口があれば、この工具差込口に一対の接触片を挿入することができ、しかも該一対の接触片の先端側に形成された係合突起により、工具差込口からの離脱を防止することができる。更に、金属露出部に工具差込口がない場合であっても、前記一対の接触片を金属露出部の外周部に挟み込み、かつ前記係合突起により金属露出部からの離脱を防止することができる。
【００１６】
請求項３に係る発明によれば、係合突起が金属露出部に係合して該金属露出部からの離脱を防止することができる。
【発明を実施するための最良の形態】
【００１７】
以下、図面に基づき本発明の実施の形態を説明する。
［第１の実施の形態］
図１及び図２は、第１の実施の形態の測定用クリップの外観を示す図である。
【００１８】
測定用クリップ１０は、各種電気機器の金属露出部に一時的に装着されて該金属露出部との電気的接続を可能とするものであり、所定間隔を隔てて対向配置された導電性の一対の弾性接触片１２，１２を備えている。この一対の弾性接触片１２，１２は、基端側１２ａから長手方向に延設された先端側１２ｂ，１２ｂが自由端となっている。この弾性接触片１２の材質は、ばね性を有する弾性部材であってかつ電気的良導体であれば良い。本実施の形態では、測定用クリップ１０は、１枚の板状の弾性部材（ばね性の金属板）を基端側１２ａにて略対称に折り曲げてピンセット形状としている。
【００１９】
これにより、測定用クリップ１０は、その側面視がピンセット形状をなし、また、基端側１２ａの幅が狭く先端側１２ｂの幅が広い平面視略三角形状に形成されている。この形状により、一対の弾性接触片１２，１２の基端側１２ａを把持して操作力を付与するときの操作力の軽減を図っている。また、一対の弾性接触片１２，１２は、先端側１２ｂにおける対向面と反対面側に係合突起１３，１３を形成している。この係合突起１３は、金属露出部としてのマイナスネジ２８の工具差込口２８ａ（図３参照）に装着するときに容易に離脱しないように、弾性接触片１２の先端側から基端側に向けて傾斜する方向に突出するように（釣り針の「かかり」のように）形成するのが好ましい（図１１参照）。また、一対の弾性接触片１２，１２の基端側１２ａにはワイヤ１４が取り付けられ、更に、一対の弾性接触片１２，１２の基端側１２ａは、絶縁性部材としてのビニルチューブ１５で被覆されている。
【００２０】
以上により、図３に示すように、使用時には、測定用クリップ１０の一対の弾性接触片１２，１２を軽く把持して、閉方向に操作力を付与した状態で、金属露出部としてのマイナスネジ２８の頭部に形成されたマイナスドライバーの工具差込口２８ａに係合突起１３，１３を挿入し、その後、閉方向への操作力を解除する（詳しくは後述する）。
【００２１】
［第２の実施の形態］
図４は、第２の実施の形態の測定用クリップ３０の外観を示す図である。
この測定用クリップ３０は、従来の鰐口クリップと略同様の構成を有していて、長手方向の中間の支点軸３８を中心として回動可能に対向配置された導電性の一対の接触片３１，３２を備えている。この測定用クリップ３０は、把持されて一対の接触片３１，３２を開閉操作する基端側３３に、絶縁性部材としてのビニルチューブ３６が被覆されている。また、一対の接触片３１，３２の基端側３３にはワイヤ４１が取り付けられている。更に、図示しないが、支点軸３８と接触片３１，３２との間には、基端側３３を常時開方向に付勢する捩りコイルバネが装着されている。そして、基端側３３に開方向への付勢力に抗して操作力を付与すると、先端側３４に開方向の作用力が付与される。
【００２２】
ここで、本実施の形態では、図４及び図５に示すように、前記一対の接触片３１，３２は、基端側３３に操作力が付与されない状態では、先端側３４にてクロスして延設された延長部３１ａ，３２ａを有している。この延長部３１ａ，３２ａは、中途部の交差点３５において当接し、更にこの当接位置からクロスして延びている。一方の延長部３１ａは、交差点３５にて幅方向の中央側が切欠かれて二股に枝分かれし、この切欠部３９に他方の延長部３２ａが摺動可能に嵌入され、かつ交差点３５にて当接している。また、この延長部３１ａ，３２ａの先端において、対向する面と反対面側には係合突起３７，４０が形成されている。この係合突起３７，４０も、金属露出部に装着するときに容易に離脱しないように、接触片３１，３２の先端側から基端側に向けて傾斜する方向に突出するように（釣り針の「かかり」のように）形成するのが好ましい（図１１参照）
以上により、図６に示すように、測定用クリップ３０の使用時には、金属露出部としてのマイナスネジ２８の頭部に形成されたマイナスドライバーの工具差込口２８ａに、測定用クリップ３０の係合突起３７，４０を挿入して該工具差込口２８ａに係合させる。また、図７に示すように、金属露出部としてのプラスネジ４２に装着するには、該プラスネジ４２の頭部を、測定用クリップ３０の３つの係合突起３７，３７，４０で挟持して該頭部に係合させる（詳しくは後述する）。
【００２３】
［測定用クリップの使用例］
次に、この測定用クリップ１０，３０の使用方法について説明する。
図８及び図９は、それぞれネジ端子台１６，１７の外観を示すもので、図８はマイナスドライバーによって操作されるマイナスネジ２８により、ワイヤ１９とワイヤ２０との接続を行う形式のもので、また、図９は、プラスドライバーによって操作されるプラスネジ４２により、ワイヤ２２とワイヤ２３との接続を行う形式のものである。
【００２４】
図１０において、制御ユニット２４はユニット本体２５を有し、このユニット本体２５には、ネジ端子台１６（又は１７）を介して各種センサ２６からの信号が入力されている。そして、各種センサ２６からの信号が正常にユニット本体２５側に送られていないと判断した場合は、ネジ端子台１６（又は１７）のマイナスネジ２８又はプラスネジ４２に測定用クリップ１０又は３０を装着して、測定装置２７により信号が正常に送られているか否かを検査する。
【００２５】
図１１は、マイナスネジ２８に測定用クリップ１０，３０の係合突起１３（又は３７，４０）を装着した場合の実施の形態を示すものである。
同図に示すように、先ず、マイナスネジ２８の工具差込口２８ａに測定用クリップ１０の係合突起１３を挿入するには、一対の弾性接触片１２，１２の基端側１２ａを覆うビニルチューブ１５を把持して、該一対の弾性接触片１２，１２が近接する方向（閉方向）にわずかな操作力を付与する。すると、対向する一対の弾性接触片１２，１２の先端側１２ｂが接近するので、この状態で専用工具としてのマイナスドライバーの工具差込口２８ａに係合突起１３，１３を挿入し、その後、操作力を解除する。このとき、一対の弾性接触片１２，１２の先端側１２ｂには、その弾性力で開方向に反発力が発生する。一方、係合突起１３は、釣り針の「かかり」のように先端側から基端側に向けて傾斜する方向に突出しているので、一対の弾性接触片１２，１２には、マイナスネジ２８の工具差込口２８ａから反発力の分力が図１１の矢印方向に作用する。これにより、一対の弾性接触片１２，１２には、マイナスネジ２８の工具差込口２８ａの挿入方向に向かう力が作用して抜けが防止され、手を放しても該一対の弾性接触片１２，１２がマイナスネジ２８の工具差込口２８ａから容易に離脱することはない。
【００２６】
次に、マイナスネジ２８の工具差込口２８ａに測定用クリップ３０の係合突起３７，４０を挿入するには、一対の接触片３１，３２の基端側３３を覆うビニルチューブ３６を把持して、閉方向に小さな操作力を付与する。すなわち、一対の接触片３１，３２の先端側３４がクロス状態を保持した状態となるように軽く操作力を付与する。すると、一対の接触片３１，３２の先端側３４がわずかに接近するので、この状態で工具差込口２８ａに係合突起３７，４０を挿入し、その後、操作力を解除する。このとき、前述と同様に、一対の接触片３１，３２の先端側には、その弾性力により開方向に反発力が発生する。一方、前記係合突起３７，４０は、先端側３４から基端側３３に向けて傾斜する方向に突出形成されているので、一対の接触片３１，３２には工具差込口２８ａから反発力の分力が挿入方向に作用して該工具差込口２８ａからの離脱が防止される。
【００２７】
次に、図１２は、プラスネジ４２に測定用クリップ３０の係合突起３７，３７，４０を装着した場合の実施の形態を示すものである。
同図において、一対の接触片３１，３２がクロス状態を解除するように、基端側３３に閉方向の大きな操作力を付与すると、先端側３４が開放されて係合突起３７，３７，４０が対向状態となり（図７参照）、この係合突起３７，３７，４０により、金属露出部としてのプラスネジ４２の外周部を３点で挟持することができる。この場合も、係合突起３７，３７，４０は、釣り針の「かかり」のように先端側３４から基端側３３に向けて傾斜する方向に突出形成されているので、手を放してもプラスネジ４２の頭部から容易に離脱することはない。
【００２８】
（付記１）
各種電気機器の金属露出部に一時的に装着して該金属露出部との電気的接続を可能とする測定用クリップにおいて、
基端側から延設された先端側を自由端として、所定間隔で対向配置された導電性の一対の弾性接触片と、
該一対の弾性接触片の前記先端側における前記対向面と反対面側に形成された係合突起と、を備えたことを特徴とする測定用クリップ。
【００２９】
（付記２）
長手方向の中間の支点軸を中心として回動可能に対向配置され、基端側を常時開方向に付勢する付勢力に抗して該基端側に閉方向の操作力を付与すると、先端側に開方向の作用力が付与される導電性の一対の接触片を備え、該一対の接触片を各種電気機器の金属露出部に一時的に装着して該金属露出部との電気的接続を可能とする測定用クリップにおいて、
前記一対の接触片は、前記操作力が付与されない状態で前記先端側がクロスするように延設された延長部と、
該延長部の前記クロス位置を越えた前記先端側における対向面と反対面側に形成された係合突起と、を備えたことを特徴とする測定用クリップ。
【００３０】
（付記３）
前記係合突起は、前記先端側から前記基端側に向けて傾斜する方向に突出していることを特徴とする付記１又は付記２に記載の測定用クリップ。
【００３１】
（付記４）
前記一対の接触片は、前記クロス位置において当接していることを特徴とする付記２又は付記３に記載の測定用クリップ。
【図面の簡単な説明】
【００３２】
【図１】本実施の形態の測定用クリップの正面図である。
【図２】同上の平面図である。
【図３】マイナスネジの工具差込口に、測定用クリップを装着するときの状態を示す図である。
【図４】本実施の形態の測定用クリップの正面図である。
【図５】同上の平面図である。
【図６】マイナスネジの工具差込口に、測定用クリップを装着するときの状態を示す図である。
【図７】プラスネジに測定用クリップを装着するときの状態を示す図である。
【図８】ネジ端子台の外観を示す図である。
【図９】ネジ端子台の外観を示す図である。
【図１０】ネジ端子台に測定用クリップを装着するときの構成ブロックを示す図である。
【図１１】マイナスネジの工具差込口に測定用クリップを装着したときの拡大図である。
【図１２】プラスネジに測定用クリップを装着したときの拡大図である。
【符号の説明】
【００３３】
１０    測定用クリップ
１２    弾性接触片
１２ａ    基端側
１２ｂ    先端側
１３    係合突起
１６    ネジ端子台
１７    ネジ端子台
２８    マイナスネジ
２８ａ    工具差込口
３０    測定用クリップ
３１    接触片
３２    接触片
３３    先端側
３４    基端側
３７    係合突起
３８    中間支点
４０    係合突起
４２    プラスネジ
【図１】
2006214878.tif 000003
【図２】
2006214878.tif 000004
【図３】
2006214878.tif 000005
【図４】
2006214878.tif 000006
【図５】
2006214878.tif 000007
【図６】
2006214878.tif 000008
【図７】
2006214878.tif 000009
【図８】
2006214878.tif 000010
【図９】
2006214878.tif 000011
【図１０】
2006214878.tif 000012
【図１１】
2006214878.tif 000013
【図１２】
2006214878.tif 000014